(57)【要約】【課題】運転開始前から運転者の状態を推定することが可能なドライバ状態推定装置、サーバ、ドライバ情報収集装置及び運転者状態推定システムを提供すること。【解決手段】運転者の状態を推定するドライバ状態推定装置５において、運転開始前の運転者の状態を推定するドライバ状態推定手段５０ａと、ドライバ状態推定手段５０ａにより推定されたドライバ状態に基づき、車載装置の制御を変更する制御変更手段５０ｂと、を有することを特徴とする。【選択図】図１
2008123448.tif 000002
【特許請求の範囲】
【請求項１】
運転者の状態を推定するドライバ状態推定装置において、
運転開始前の運転者の状態を推定するドライバ状態推定手段と、
前記ドライバ状態推定手段により推定されたドライバ状態に基づき、車載装置の制御を変更する制御変更手段と、
を有するドライバ状態推定装置。
【請求項２】
運転者の自宅から検出した情報を記憶した運転者自宅情報を受信する運転者自宅情報受信手段、を有し、
前記ドライバ状態推定手段は、前記運転者自宅情報に基づき運転者の状態を推定する、
ことを特徴とする請求項１記載のドライバ状態推定装置。
【請求項３】
前記運転者自宅情報は、運転者の睡眠にかかる情報を有し、
前記ドライバ状態推定手段は、前記運転者自宅情報に基づき運転者の眠気を推定する、
ことを特徴とする請求項２記載のドライバ状態推定装置。
【請求項４】
エンジン始動前までの車載装置の操作を検知する検知手段を有し、
前記ドライバ状態推定手段は、前記検知手段の検知結果に基づき運転者の状態を推定する、
ことを特徴とする請求項１記載のドライバ状態推定装置。
【請求項５】
前記運転者自宅情報は、運転者の会話から抽出した会話情報を有し、
前記ドライバ状態推定手段は、前記会話情報に基づき運転者の状態を推定する、
ことを特徴とする請求項２記載のドライバ状態推定装置。
【請求項６】
前記運転者自宅情報は、運転者のスケジュールから抽出した予定時刻情報及び予定内容情報を有し、
前記ドライバ状態推定手段は、前記予定内容情報のみに基づき運転者の状態を推定する、
ことを特徴とする請求項２記載のドライバ状態推定装置。
【請求項７】
前記運転者自宅情報は、運転者が送受信した電子メールから抽出したメール情報を有し、
前記ドライバ状態推定手段は、前記メール情報に基づき運転者の状態を推定する、
ことを特徴とする請求項２記載のドライバ状態推定装置。
【請求項８】
前記運転者自宅情報は、忘れ物情報、鍵の閉め忘れ情報又は蛍光灯の消し忘れ情報の少なくともいずれか、
であることを特徴とする請求項２記載のドライバ状態推定装置。
【請求項９】
前記検知手段は、荷物の投げ込み、ドア開閉速度が所定以上又はスイッチ操作ミスのいずれかを検知する、
ことを特徴とする請求項４記載のドライバ状態推定装置。
【請求項１０】
運転者の自宅から検出した情報を記憶した運転者自宅情報を受信する運転者自宅情報受信手段と、
前記運転者自宅情報に基づき運転者の状態を推定するドライバ状態推定手段と、
前記ドライバ状態推定手段により推定された運転者の状態を車両に送信する送信手段と、
を有することを特徴とするサーバ。
【請求項１１】
運転者の自宅において運転者の情報を検出するセンサと、
前記センサにより検出された運転者の情報を収集するドライバ情報収集手段と、
前記ドライバ情報収集手段が収集した運転者の情報を車両に送信する送信手段と、
を有することを特徴とするドライバ情報収集装置。
【請求項１２】
運転者の状態を推定するための運転者状態推定システムであって、
運転者の自宅は、運転者の自宅において運転者の情報を検出するセンサと、
前記センサにより検出された運転者自宅情報を収集するドライバ情報収集手段と、
前記運転者自宅情報を車両に送信する送信手段と、を有し、
車両は、前記運転者自宅情報を受信する受信手段と、
前記運転者自宅情報又はエンジン始動前までの車載装置の操作に基づき運転開始前の運転者の状態を推定するドライバ状態推定手段と、を有する、
運転者状態推定システム。
【発明の詳細な説明】
【技術分野】
【０００１】
本発明は、運転者の状態を推定して車両を制御するドライバ状態推定装置、サーバ、ドライバ情報収集装置及び運転者状態推定システムに関する。
【背景技術】
【０００２】
車両を操作して移動している間、待ち合わせ時間や目的地までの到達時間を気にして運転者が焦りを感じる状況に陥ることが多い。このような焦りが運転に与える影響は個人差があるものの好ましいものではなく、また、運転者本人も気づかないうちに焦り状態に陥るおそれがある。そこで、運転者の焦りを検出する装置や焦りを検出した場合にそれを沈静化する装置が提案されている（例えば、特許文献１参照。）。特許文献１記載の装置では、乗員の移動幅や移動回数を温度センサにより基づき検出して、移動幅や移動回数が所定以上の場合に運転者が焦っていると判定し、焦っていると判定した場合には音楽を出力させたり香りを発生させて運転者を沈静化する。
【特許文献１】特開２００４−１０６７１６号公報
【発明の開示】
【発明が解決しようとする課題】
【０００３】
しかしながら、特許文献１記載の装置は温度センサのような直接的な手法により焦りを検知するものであるため、室温が高い場合には運転者の体温を検出することが困難になるおそれがある。
【０００４】
ところで、運転者の精神的な状態または体調が運転に影響を与えると考えられているが、運転者の精神的な状態や体調は運転中だけでなく運転前から運転者に作用し、運転中に発現するものである。しかしながら、運転中の移動幅から焦りを検出する特許文献１に示すように、これまで運転前の精神的な状態や体調を検出して運転前の運転者の状態を推定する技術は提案されていない。これでは、運転を開始するまで精神的な状態や体調等を検出することができず、支援が遅れてしまうという問題がある。
【０００５】
本発明は、上記課題に鑑み、運転開始前から運転者の状態を推定することが可能なドライバ状態推定装置、サーバ、ドライバ情報収集装置及び運転者状態推定システムを提供することを目的とする。
【課題を解決するための手段】
【０００６】
上記課題を解決するため、本発明は、運転者の状態を推定するドライバ状態推定装置において、運転開始前の運転者の状態を推定するドライバ状態推定手段と、ドライバ状態推定手段により推定されたドライバ状態に基づき、車載装置の制御を変更する制御変更手段と、を有することを特徴とする。
【０００７】
本発明によれば、運転開始前の運転者の状態を推定することで運転開始前から運転者の状態を検出でき、運転開始時から適切な運転支援をおこなうことができる。
【０００８】
また、本発明の一形態において、運転者の自宅から検出した情報を記憶した運転者自宅情報（例えば、乗車前行動情報又は乗車時行動情報の少なくともいずれか）を受信する運転者自宅情報受信手段、を有し、ドライバ状態推定手段は運転者自宅情報に基づき運転者の状態を推定することを特徴とする。本発明によれば、運転者の自宅における情報から運転者の状態を推定することができる。
【発明の効果】
【０００９】
運転開始前から運転者の状態を推定することが可能なドライバ状態推定装置、サーバ、ドライバ情報収集装置及び運転者状態推定システムを提供することができる。
【発明を実施するための最良の形態】
【００１０】
以下、本発明を実施するための最良の形態について、実施例を挙げながら図面を参照しながら説明する。
【実施例１】
【００１１】
図１は、運転者の状態の推定の概略を説明するための図である。運転者は自宅１で生活しており、移動する場合に車両３に乗り込んで勤務先やレジャー施設などの目的地４まで運転することが一般的である。本実施形態のドライバ状態検出装置は、自宅１、乗車時又は運転中における運転者の行動の検出結果に基づき運転者の状態（例えば、焦りの心理状態）を推定する。そして、焦っていると推定した場合には車両３は車両特性を安全側かつ環境配慮側に設定することで焦りが運転に与える影響を低減し、また、運転者が落ち着いたと判定すると車両特性を元に戻す。自宅１における行動、すなわち運転前における行動から焦りを検出するので、運転を開始した時点から安全側かつ環境配慮側の設定で車両を走行させることができる。
【００１２】
始めに、焦りをもたらす状況及びその時の運転者の行動について概略を説明する。ここでは、時間がない状況が生じた場合に人は焦りやすくなると考え、その状況の一例を示す。
ａ．自宅１において焦りをもたらす状況
出発が遅れた、寝坊した、忘れ物をした、心配事がある、人を待たせている
ｂ．車両３に乗車時に焦りをもたらす状況  
急いでいる、操作忘れ、乱暴
ｃ．運転中に焦りをもたらす状況
予定時間に遅れそう、時間がない、前の車が遅い、トラック等で前が見えない、渋滞中、道に迷う、交差点信号に間に合うかどうか不安
したがってこのような状況をドライバの行動から検出すれば、運転者の焦りを検出することができる。
Ａ．焦りをもたらす状況を自宅１で検出するための運転者の行動
忘れ物をする、玄関の鍵を閉め忘れる、部屋の電気を消し忘れる、ドアハンドルで施錠を何回も確認する
Ｂ．焦りをもたらす状況を乗車時に検出するための運転者の行動
荷物を車内に投げ込む、ドア・トランクを乱暴に開閉（速度大）、スイッチ操作ミス・乱暴・操作力大、乗り込みからエンジン始動前の時間が短い、乗車時携帯電話で通話している
Ｃ．焦りをもたらす状況を運転中に検出するための運転者の行動
車間距離小、信号無視（黄色で通過）、アクセル開度大・加減速Ｇが大、ブレーキタイミング遅れ・踏力大、蛇行、レーンチェンジ頻度大、追い越しレーン維持、視点集中・散乱、連続運転時間大、パーキングブレーキ引きずり、
Ａ〜Ｃのような行動は運転者が焦っている（急いでいる）ことと相関して検出されるものであることから、これらの行動を検出することでそれぞれの状況に対応した焦りを検出することができる。
【００１３】
自宅１には、運転者の行動を検出するためドライバ情報収集装置６が配置される。ドライバ情報収集装置６は、Ａに示した運転者の行動の乗車前行動情報を情報センタ２を介して車両３に送信する。同様に、車両３は運転者の状態を推定するためのドライバ状態推定装置５を有し、Ｂ又はＣに示した運転者の行動の乗車時／乗車中行動情報、及び、受信した乗車前行動情報に応じて焦り状態か否か又は焦り度を判定する。
【００１４】
図２は、運転者の状態を推定するための運転者状態推定システムの構成図の一例を示す。運転者状態推定システムでは、ドライバ情報収集装置６と情報センタ２のサーバ７はネットワークを介して接続されると共に、ドライバ状態推定装置５はネットワークに接続された基地局８と無線又は有線で通信可能に構成されている。ネットワークは、公衆電話交換網(PSTN)やデジタル通信ネットワーク（ISDN）、光ファイバ等の有線、又は、携帯電話網、ＰＨＳ（Personal  Handy-phone  System）網、無線ＬＡＮ網、ＷｉＭＡＸ（Worldwide  Interoperability  for  Microwave  Access）網、衛星電話、ビーコン等の無線にて構成される。
【００１５】
ドライバ情報収集装置６、サーバ７及びドライバ状態推定装置５間の通信は、ＰＰＰプロトコル（Point・to・Point・Protocol）に従うものでありＰＰＰプロトコルによりこれらの間でデータリンクを確立し、上位層であるＴＣＰ／ＩＰプロトコル（Transmission  Control  Protocol/Internet  Protocol）、ＴＣＰ／ＩＰと上位互換であるＨＴＴＰ（Hyper  Text  Transfer  Protocol）やＦＴＰ（File  Transfer  Protocol）を実現する。すなわち、ネットワークはインターネットやＷＡＮ（Ｗｉｄｅ  Ａｒｅａ  Ｎｅｔｗｏｒｋ）を構成して、データの送受信を可能とするものである。
【００１６】
〔Ａ．自宅１で焦りをもたらす状況を検出するための運転者の行動〕
図３はドライバ情報収集装置６の構成図を示す。ドライバ情報収集装置６は、運転者の行動を検出するための各種のセンサ１１がＬＡＮなどのネットワークを介して情報収集装置６０に接続して構成される。
【００１７】
センサ１１は、例えば、忘れ物検出装置６１、ドアセンサ６２、家電モニタ装置６３、集音装置６４である。忘れ物検出装置６１は、携帯電話、自宅１の鍵、車両３の鍵、財布、定期、ＩＤカードなど、普段身につけて外出する小物が自宅１に残されたまま運転者が自宅１を出たことを検出して忘れ物を検出する。これらの小物が自宅１に存在するか否かは例えば、忘れ物検出装置６１が発信するリクエスト電波に小物が内蔵するＩＣチップが応答するか否かにより検出される。リクエスト電波の発信機は玄関に備えられており、運転者が玄関に存在すること（出発直前であること）を赤外線センサや床圧力センサにより検知した場合に発信器が発信するリクエスト電波に小物のＩＣチップが応答するか否かにより忘れ物があるか否かを判定する。外出時に応答すべき小物は予め忘れ物検出装置６１に登録しておいてもよいし、外出時に携帯する小物を忘れ物検出装置６１が記憶しておき過去の統計から携帯すべき小物を判定してもよい。
【００１８】
ドアセンサ６２は、自宅１のドアの開閉及び鍵のロック／アンロック状態を検出するセンサである。例えば、鍵がロックされるとオン信号を出力するスイッチを鍵部に備え、ドアの開→閉後にオン信号が検出されない場合、ドアセンサ６２は鍵の閉め忘れと判定する。また、ドアの鍵にスマートキーシステムが適用されている場合、スマートキーの機能を利用して鍵の閉め忘れを検知する。スマートキーシステムでは自宅１の玄関の内側と外側にそれぞれキー検知エリアを形成し、外出時にスマートキーを携帯していると玄関の内側でスマートキーが検知され、運転者が外側に出ると外側のキー検知エリアでスマートキーが検知されその後検知エリアから離れると自動的にドアがロックされる。したがって、例えばスマートキーを携帯せずに外出した場合、玄関の外側のキー検知エリアでスマートキーが応答せず、外出が検知されない状態となり鍵がかからない（その後しばらくすると自動にロックされる）。ドアセンサ６２はこのような鍵の閉め忘れ（スマートキーの忘れ物）を検知する。
【００１９】
家電モニタ装置６３は、蛍光灯やテレビなどの作動状態を監視する装置である。家電モニタ装置６３は、運転者が外出したあとに蛍光灯やテレビ、エアコン、ステレオなどが作動していると消し忘れたものと判定する。
【００２０】
集音装置６４は自宅１の種々の場所や庭先に配置されたマイクから、運転者及び家族の発する音や外部の騒音を検出して音が運転者に及ぼす影響を判定する。集音装置６４はマイクにより音を検出している間その音の大きさや場所を示す情報を取得する。また、集音装置６４は音声認識機能を備え、運転者が発した言葉を認識することが好適である。
【００２１】
情報収集装置６０は、プログラムを実行するＣＰＵ６０５、センサ１１が取得した乗車前行動情報やプログラムを記憶するメモリ６０２、ＯＳやデバイスプログラムを記憶したＲＯＭ６０４、プログラムを一時的に記憶する作業領域となるＲＡＭ６０３、ＮＩＣ（Network  Interface  Card）などネットワークに接続するための通信装置６０６等が相互にバスで接続されたコンピュータとして構成される。ＣＰＵ６０５がプログラムを実行することでドライバ情報収集手段６０ａが実現される。
【００２２】
情報収集装置６０は、インターフェイス６０１を介してセンサ１１と接続されていて、センサ１１が検出する乗車前行動情報を収集する。インターフェイス６０１は、通信装置６０６のＮＩＣで兼用してセンサ１１からＩＰアドレスで指定されて乗車前行動情報を受信してもよいし、インターフェイス６０１としていわゆるデータロガーを設け、データロガーを介してセンサ１１の乗車前行動情報を受信してもよい。
【００２３】
ドライバ情報収集手段６０ａは、センサ１１から送信される乗車前行動情報をメモリ６０２に記憶する。図４はメモリ６０２に記憶される乗車前行動情報の一例を示す。ドライバ情報収集手段６０ａはセンサ１１がそれぞれの検出タイミングで検出した乗車前行動情報を取得するが、車両３に乗り込む前の情報としては直前の乗車前行動情報が必要となるので、例えば一日毎に乗車前行動情報を記憶しておく。図４では忘れ物情報として「財布」、ドア情報として「鍵閉め忘れ」、家電作動情報として「蛍光灯消し忘れ」が記憶されている。検出された行動が多いほど運転者が焦っている度合いが高いと推定される。なお、乗車前行動情報は、検出可能な全ての行動をテーブル上にリストしておき、焦っていると推定される行動が検出された場合にはフラグをオンにするようにして構成してもよい。
【００２４】
ドライバ情報収集手段６０ａは、運転者が外出する際にセンサ１１が検出した乗車前行動情報を情報センタ２に送信する。なお、ドライバ情報収集手段６０ａが後述する方法で運転者の焦り状態を判定してもよいが、焦り状態の判定は乗車時及び乗車中も行われるので、車両３が焦り状態を判定することが好適である。
【００２５】
情報センタ２について説明する。情報センタ２のサーバ７は、ドライバ情報収集装置６と車両３を仲介して種々のサービスを運転者に提供するものである。例えば、情報センタ２には運転者の携帯端末１３のメールアドレス等が登録されていて、第三者の車両３への侵入やエンジン始動等を監視して運転者に通知したり、運転者が携帯端末１３から情報センタ２にアクセスすると携帯端末１３の操作内容に基づき車両３の車載装置を遠隔操作することができる。
【００２６】
図５は、サーバ７のハードウェア構成図を示す。サーバ７はそれぞれバスで相互に接続されているＣＰＵ７１、主記憶装置７２、ＨＤＤなどの記憶装置７３、表示装置７４、入力装置７５、ドライブ装置７６及び通信装置７７、を有するように構成される。
【００２７】
ＣＰＵ７１は、ＯＳやアプリケーションなどのプログラムを記憶装置７３から読み込んでして実行することで種々の機能を提供すると共に、サーバ７が行う処理を統括的に制御する。主記憶装置７２はＲＡＭにより構成され、ＯＳやプログラム、データを一時保管する作業領域となる。記憶装置７３は、ＨＤＤやフラッシュメモリなど不揮発性メモリであり、ＯＳ、プログラム、ドライバ等のファイルが記憶されている。表示装置７４は、プログラムが指示する画面情報に基づき所定の解像度や色数等で液晶などのディスプレイに描画する。例えば、ＧＵＩ（Graphical  User  Interface）画面を形成し、操作に必要な各種ウィンドウやデータ等をディスプレイに表示する。
【００２８】
入力装置７５はキーボードやマウスなどで構成され、ユーザからの様々な操作指示を入力するために用いられる。ドライブ装置７６は記憶媒体７８が挿入可能に構成されており、記憶媒体７８に記憶されたデータを読み取って主記憶装置７２等に送出する。通信装置７７は、インターネットやＬＡＮなどのネットワークに接続するためのインターフェイスであり、例えばモデム、ＮＩＣ等で構成される。
【００２９】
ＣＰＵ７１がプログラムを実行することでドライバ状態推定手段７１ａが実現される。ドライバ状態推定手段７１ａの機能は、情報収集装置６０から送信された乗車前行動情報そのまま車両３へ転送したり、乗車前行動情報に基づき後述する方法で運転者の焦りを判定しそれらを車両３へ送信するものである。情報収集装置６０から焦り判定結果（後述する焦り状態を示す情報）が送信された場合はそれを車両３へ転送する。すなわち、焦り判定は情報収集装置６０、サーバ７又は車両３のいずれが行ってもよい処理である。
【００３０】
〔B．焦りをもたらす状況を乗車時に検出するための運転者の行動〕
焦りをもたらす状況を乗車時に検出するための運転者の行動について説明する。乗車時において、運転者が焦ると行動が速くなると推定されるので、乗車時の種々の操作の速さを検出することで、運転者の焦りを検出できる。
【００３１】
図６は、ドライバ状態推定装置５の構成図の一例を示す。ドライバ状態推定装置５は、ドライバ状態推定部５０により制御され、各種のセンサ又は装置から乗車時及び乗車中の運転者の乗車時行動情報又は乗車中行動情報を収集し、ドライバ状態推定手段５０ａが焦りを判定する。なお、ドライバ状態推定部５０は、ＣＰＵ、ＲＯＭ、ＲＡＭ及びメモリ等を有するコンピュータで、メモリに記憶されたプログラムを実行することで、ドライバ状態推定手段５０ａが実現される。
【００３２】
通信装置４１は、携帯電話網やＰＨＳ網、無線ＬＡＮ網などに接続して、情報センタ２から送信される乗車前行動情報又は焦り判定結果を受信する。荷重センサ４２は例えば各座席のシートに配置された圧電素子であって、乗車の有無や乗員の人数の検出を可能とする。スイッチ４３は、カーナビやエンジンスタートボタンなど車載装置を各種スイッチであり、例えば、操作ミスをして押し直した場合にそれを検出したり、操作力を検出する荷重センサを備える。開閉速度センサ４４はドアやトランクの開閉速度を検出するセンサであり、例えば、ドアやトランクのヒンジの変位を検出するセンサにより構成される。携帯通信装置４５は例えばナビゲーションシステムが運転者の有する携帯端末１３と無線又は有線で通信する装置であり、ブルートゥースを利用すれば運転者に乗車するだけで携帯通信装置４５と携帯端末１３とが通信を開始する。また、接続されればいわゆるハンズフリーフォンが可能となり、運転者の発した音声は携帯通信装置４５から携帯端末１３に送信され、携帯電話網から受信される音声は携帯端末１３が受信して携帯通信装置４５に送信され車載スピーカから出力される。また、携帯端末１３が電子メールを送受信する場合にも、携帯通信装置４５が電子メールを抽出してナビゲーションシステムに表示したり読み上げることができる。室内カメラ４６は、車両後方に向けてインストルメントパネルに搭載されたＣＣＤ（Charge  Coupled  Device）等の光電変換素子を有し、室内を移動する動体を検出するする。動体の動きは例えば画像データの画素値（例えば輝度）が変化するか否かに基づき検出され、画素値の変化の速さから動体の動きの速さが検出される。
【００３３】
ミリ波レーダ４７は、所定の波長のミリ波を発信し、障害物に反射して帰って来るまでの時間及び周波数変化により障害物までの距離と相対速度を検出する。路車間通信装置４８は、例えば路側に設けられたＶＩＣＳ（Vehicle  Information  and  Communication  System）やＤＳＲＣ（Dedicated  Short  Range  Communication）の基地局と無線やビーコンで通信するものであり、路車間通信装置４８は基地局から道路の渋滞状態、信号機の状態等を受信する。アクセルペダルストロークセンサ４９は、運転者のアクセルペダルの踏み込み量を検出するものであって踏み込み量に応じたアクセル開度を検出する。ブレーキペダル踏力センサ５１は、運転者のブレーキペダルの踏み込み及びその踏力を検出する。Ｇセンサ５２は、車両の走行中の加速度及び減速度を検出する。白線認識装置５３は、カメラにより撮影した車両前方の画像データから走行レーンを区切る左右の白線を検出する。顔カメラ５４は、例えばステアリングコラムに搭載された運転者の顔を撮影するカメラであり、顔を撮影した画像データを処理して顔向きや開眼／閉眼を検出する。パーキングブレーキスイッチ５５はパーキングブレーキの作動状態を検出する。シフトポジションセンサ５６は、シフトポジション（Ｄ、１，２、Ｎ、Ｒ）を検出する。エアバッグシートセンサ５７は、座席に乗員が着座しているか否か及び着座している者のおよその伸長を検出する。ボンネット開閉センサ５１０はボンネットの開閉を検出するセンサであり、シート角度センサ５１１は運転席のバックシートの角度を検出するセンサである。
【００３４】
ドライバ状態推定手段５０ａは、乗車時の行動をセンサにより検出し、運転者が焦っている行動を示せばそれを取得する。例えば、荷重センサ４２が瞬間的に大きな荷重を検出する場合、ドライバ状態推定手段５０ａは荷物が投げ込まれた衝撃であると検出し、室内カメラ４６が荷物の移動を検出すれば荷物が投げ込まれたと検出する。また、開閉速度センサ４４が所定以上に速いドアやトランクを開閉を検出した場合、ドライバ状態推定手段５０ａはドア・トランクが乱暴に開閉されたと検出する。また、同じスイッチ４３が何度も押下されたり強い操作力で押下されたり、押し直しや前画面に戻る操作が検出された場合、ドライバ状態推定手段５０ａはスイッチ操作ミスや乱暴な操作があったと検出する。また、携帯通信装置４５が車内に侵入した携帯端末１３と通信した結果、通話中であることを検出した場合、ドライバ状態推定手段５０ａは運転者が通話してると検出する。また、ドライバ状態推定手段５０ａは、ドア開からエンジン始動までの時間が短い場合や、シートベルトを締めずにエンジンを始動した場合、運転者が焦っていると判定する。ドア開からエンジン始動までの時間やシートベルトの装着有無などは個人差が大きいので、過去の運転者の行動を記憶しておきそれとの比較により判定することが好適である。
【００３５】
ドライバ状態推定手段５０ａは、図７（ａ）に示すように焦っていると推定される行動が検出されるとそれを乗車時行動情報として記憶する。図７（ａ）では「荷物投げ込み  有」、「ドア開閉速度  大」、「ドア開→エンジン始動時間  短」と記憶されている。検出された行動が多いほど運転者が焦っている度合いが高いと推定される。なお、乗車時行動情報は、検出可能な全ての行動をテーブル上にリストしておき、焦っていると推定される行動が検出された場合にはフラグをオンにするように構成してもよい。
【００３６】
〔Ｃ．運転中に焦りをもたらす状況を検出するための運転者の行動〕
焦りをもたらす状況を乗車中に検出するための運転者の行動について説明する。なお、ドライバ状態推定装置５の構成については、図６と同様である。
【００３７】
ドライバ状態推定手段５０ａは、乗車中の行動をセンサにより検出し、運転者が焦っている行動を示せばそれを取得する。例えば、ミリ波レーダ４７が検出する先行車両との距離が小さい場合、ドライバ状態推定手段５０ａは運転者が焦っていると検出する。また、信号機の状態を路車間通信装置４８や前方を撮影するカメラから取得して黄色の状態で車両３が信号を通過した場合、ドライバ状態推定手段５０ａは運転者が焦っていると検出する。また、アクセルペダルストロークセンサ４９によりアクセル開度が所定より大きいことやＧセンサ５２が検出する加速度が所定より大きい場合、ドライバ状態推定手段５０ａは運転者が焦っていると判定する。また、ミリ波レーダ４７が検出する先行車両との関係においてブレーキペダル踏力センサ５１が検出するブレーキ開始タイミングの遅れを検出したり、Ｇセンサ５２が検出する減速度が所定より大きい場合、ドライバ状態推定手段５０ａは運転者が焦っていると検出する。また、白線認識装置５３は車両３が白線を横切る走行レーンのチェンジを検出するので、ドライバ状態推定手段５０ａは走行レーンの変更頻度が所定以上であれば運転者が焦っていると検出する。また、白線に対し車両３の蛇行が検出される場合、ドライバ状態推定手段５０ａは運転者が焦っていると検出する。また、高速道路において、追い越しレーン（例えば右端のレーンでありそれより右側に走行レーンがない）を走行している時間が所定以上の場合、ドライバ状態推定手段５０ａは運転者が焦っていると検出する。また、顔カメラ５４により検出した顔向きや視線方向が前方に集中していたり、極度に安定しない場合、ドライバ状態推定手段５０ａは運転者が焦っていると検出する。また、パーキングブレーキスイッチ５５が走行中もパーキングブレーキが解除されないと検出した場合、ドライバ状態推定手段５０ａは運転者が焦っていると検出する。また、ドライバ状態推定手段５０ａは、連続運転時間（エンジン始動時から計測）が所定以上になると運点者が休憩を取れないほど焦っていると検出する。
【００３８】
また、例えば、走行中の乗員の会話をマイク及び音声認識装置により抽出し、怒声、トイレ、具合が悪い、泣き声等、運転者に焦りを感じさせる言葉が検出された場合、ドライバ状態推定手段５０ａは、運点者が焦っていると検出する。また、ＶＩＣＳから渋滞情報を検出したり雨天や濃霧の天候に起因して速度を上げるのが困難な状態になると、運点者が焦っていると検出してもよい。
【００３９】
ドライバ状態推定手段５０ａは、図７（ｂ）に示すように焦っていると推定される行動が検出されるとそれを乗車中行動情報として記憶する。図７（ｂ）では「車間距離  小」、「信号無視  有」、「加速度  大」と記憶されている。検出された行動が多いほど運転者が焦っている度合いが高いと推定される。なお、乗車中行動情報は、検出可能な全ての行動をテーブル上にリストしておき、焦っていると推定される行動が検出された場合にはフラグをオンにするように構成してもよい。
【００４０】
〔焦り判定〕
続いて、ドライバ状態推定手段５０ａによる焦り判定について説明する。ドライバ状態推定手段５０ａは、例えばエンジン始動までに乗車前行動情報及び乗車時行動情報を取得し、また、走行中は乗車中行動情報を取得する。上記のように、乗車前行動情報、乗車時行動情及び乗車中行動情報は検出された行動が多いほど、運転者が焦る度合いが高いと考えられるので、ドライバ状態推定手段５０ａは例えば検出された行動情報の数が所定値以上の場合焦り状態と判定しまた、行動情報の数に応じて焦り度を判定する。
【００４１】
図８は、焦り判定の概略を示す図である。ドライバ状態推定手段５０ａは、乗車前行動情報、乗車時行動情報及び乗車中行動情報の数を掛け合わせそれが所定値以上であれば（Ｓ１のＹｅｓ）、焦り状態であると判定する（Ｓ４）。また、所定以上でなくても（Ｓ１のＮｏ）、乗車前行動情報、乗車時行動情報又は乗車中行動情報の数のうちいずれか２つ以上が所定値Ｌ以上の場合（Ｓ２のＹｅｓ）、ドライバ状態推定手段５０ａは焦り状態であると判定する（Ｓ４）。所定値Ｌ以上でない場合でも（Ｓ２のＮｏ）、乗車前行動情報、乗車時行動情報又は乗車中行動情報の数のうちいずれかが所定値Ｍ（＞Ｌ）以上の場合、ドライバ状態推定手段５０ａは焦り状態と判定する（Ｓ４）。なお、乗車時までに焦り状態と判定されない場合、乗車中行動情報に応じて随時焦り状態と判定される。
【００４２】
また、乗車前行動情報、乗車時行動情報及び乗車中行動情報の数を掛け合わせた値、又は、乗車前行動情報、乗車時行動情及び乗車中行動情報の数を加算した値に応じて数段階に焦り度を判定してもよい。
【００４３】
また、焦り状態の判定は、乗車前行動情報、乗車時行動情報及び乗車中行動情報を全て利用する必要はなく、乗車前行動情報のみから、又は、乗車前行動情報と乗車時行動情報のみ、から焦り状態を判定してもよい。
【００４４】
ところで、焦り状態となるか否かまたその時の焦り度は、年齢、性別や環境等によりある程度の傾向を示すことが多い。そこで、ドライバ状態推定装置５は、年齢、性別、環境等の情報を取得し、焦り状態の判定の重み付けを行うことが好適となる。年齢や性別は、情報センタ２や車両３に予め登録しておいてもよいしＩＣカード化された運転免許証からリーダが読み取る。雨や雪、渋滞などの環境情報は、レインセンサやＶＩＣＳから取得できる。ドライバ状態推定手段５０ａは焦り状態か否かを判定する場合、年齢、性別及び環境に応じた係数（重み付け）を行動情報の数又は所定値Ｍ、Ｌに乗じる。例えば、年齢であれば、高齢者であるほど焦りが運転に影響を及ぼしやすいので、高齢者の場合には焦り状態と判定しやすくする。また、例えば性別に関しては男性の方が、環境に関しては雨天や渋滞している場合に焦り状態と判定しやすくなるように重み付けする。
【００４５】
〔焦り状態と判定された場合の車両特性〕
続いて、焦り状態と判定された場合に設定される車両制御について説明する。運転者が焦っている場合には、速度の出し過ぎや排ガス状態の悪化をもたらすおそれがあるため、焦り状態と判定された場合には運転者に注意喚起したり、速度の出し過ぎを抑制する車両制御を行うことが好ましい。
【００４６】
図９は、焦り状態と判定された場合に車両制御する車両３のシステム構成図の一例を示す。ドライバ状態推定部５０は、ＣＡＮ等の車内ＬＡＮを介してメータＥＣＵ５０１、エンジンＥＣＵ５０２、ナビＥＣＵ５０３、ＬＫＡ（Lane  Keeping  Assist）装置５０４、ＡＣＣ（Adaptive  Cruise  Control）装置５０５及び車車間通信装置５０６と接続され、ドライバ状態推定手段５０ａが焦り状態であることを送出すると、制御変更手段５０ｂがこれら各ＥＣＵに制御値を変更するよう要求する。
【００４７】
焦り状態と判定された場合の制御は安全面と環境面に分類され、さらに安全面では３つに分類される。
【００４８】
安全面I：運転者への注意喚起・警告
メータＥＣＵ５０１は、コンビネーションパネルのランプや警報音を吹鳴するものであって、制御変更手段５０ｂの要求に応じ、例えば、イグニションオン時に運転者を落ち着かせるための情報を表示する。また、より好ましくは、ナビゲーションシステムを制御するナビＥＣＵ５０２が運転者を落ち着かせるための情報を表示すれば、より表現の豊かな情報を表示できる。運転者を落ち着かせるための情報は、例えば、「焦り状態と判定されています。安全運転を心がけましょう。」といったメッセージや、焦り度と危険度の関係を示すグラフに現在の焦り度が強調されたもの、家族の写真などである。また、予め録音した自分や家族の声（「落ち着いて運転しよう」）やクラシック音楽をスピーカから出力してもよい。
【００４９】
安全面II：自律系による車両制御値変更
エンジンＥＣＵ５０３は、例えばアクセル開度に応じてアクセルマップを参照して目標トルクついでエンジン制御量等を決定し、また、目標の加速度となるようにシフトマップを参照してトランスミッションを制御する。そこで、焦り状態であると判定され、制御変更手段５０ｂの要求があると、エンジンＥＣＵ５０３は通常よりも加速度や車速が低くなるようにエンジン制御量を決定しまたシフト制御する。
【００５０】
また、ＬＫＡ装置５０４は、左右の白線の略中央を目標走行線として目標走行線からの乖離量が閾値以上となると警報音を吹鳴するが、焦り状態であると判定され制御変更手段５０ｂの要求があると、警報音を吹聴する閾値を低下させる。
【００５１】
ＡＣＣ装置５０５は、先行車両との車間距離を例えば３段階のいずれかに設定して車両３を追従走行させるが、焦り状態であると判定され制御変更手段５０ｂの要求があると、３段階のうち最も長い車間距離かそれよりもさらに長い車間距離に設定する。このような、通常と異なる制御により運転者は焦り状態と判定されたことに気づき、落ち着きを取り戻しやすくなり、また、警報音が早めに吹鳴され、車間距離も長めになるので焦り状態であっても安全を確保することができる。また、ＰＣＳ（Pre−Crash  Safety  System）装置５０７であれば、通常よりも短いＴＴＣ（Time  To  Collision）で警報音を吹鳴する。
【００５２】
なお、このような制御を運転者が煩わしいと感じるおそれがあるため、通知後に制御を実行してもよい。また、運転者がＬＫＡ装置５０４やＡＣＣ装置５０５を使用していない場合、運転者に通知した後にＬＫＡ装置５０４やＡＣＣ装置５０５をオンにして制御を実行する。
【００５３】
安全面III：自律・インフラ系による車両制御
車車間通信装置５０６は、送信機／受信機を備え、通信用のアンテナにより無線周波数帯の電波（例えば、３０ＧＨｚ〜３００Ｈｚ帯のミリ波）を送受信することにより他車両との通信する装置ある。例えば焦り度がかなり高く制御変更手段５０ｂの要求があると、車車間通信装置５０６が周囲の車両に警告したり回避要請することで、より確実に安全を確保できる。なお、焦り度だけでなく、車両挙動（車速、蛇行、車間距離等）から総合的に危険と判定される場合に、回避要請してもよい。
【００５４】
環境面：環境に配慮した車両制御
安全面IIのように、エンジンＥＣＵ５０３により通常よりも加速度や車速が低くなるようにエンジン制御量を決定しまたシフト制御することで環境に配慮した車両制御となる。また、ハイブリッド車や電気自動車では制動時の回生力から発電するが、環境に配慮した車両制御を行う場合、エンジンＥＣＵ５０３は回生モードに入りやすくなるように車両を制御することで、車速を抑制し環境に配慮した車両制御とすることができる。
【００５５】
〔焦り状態の解除判定〕
運転者の焦りは永続するものではないため、焦り状態が解消されたら安全面及び環境面の車両制御は解除することが好ましい。そこで、ドライバ状態推定手段５０ａは、乗車時及び乗車中の運転者の行動を検出して、正常（焦っていない）と推定される行動を検出して焦り状態を解除する。図６に示したように、車両３のドライバ状態推定装置５はボンネット開閉センサ５１０、シート角度センサ５１１を有する。
【００５６】
例えば、乗車前にボンネットを開けて、ブレーキの液量やバッテリー液量等を点検することが推奨されることがあるが、乗車前行動情報が検出されていても、運転者がこのような始業点検を行う場合、焦っていないか焦り度は低下傾向にあると考えられる。同様に、運転者が乗車前にシート角度を調整する場合、焦っていないか焦り度は低下傾向にあると考えられる。ドライバ状態推定手段５０ａはボンネット開閉センサ５１０とシート角度センサ５１１からボンネットの開閉及びシート角度の調整を検出して、これを焦り解除行動情報として記憶する。
【００５７】
また、走行中は、運転者が、他車両に割り込みを許したり、走行レーンを維持して走行している場合、車間距離が大きい場合、一旦停止を尊守する場合、焦っていないか焦り度は低下傾向にあると考えられる。ドライバ状態推定手段５０ａは、ミリ波レーダ４７や白線認識装置５３により自車両の走行レーンの直前に割り込む他車両が検出された場合や、白線認識装置５３により所定時間以上同じ走行レーンを走行していることが検出された場合、ミリ波レーダ４７により検出される先行車両との車間距離が所定以上の場合、ナビゲーションシステムや路車間通信で取得した一時停止箇所で車両３が一旦停止した場合、これらを焦り解除行動情報として記憶する。
【００５８】
ドライバ状態推定手段５０ａは、焦り解除行動情報の数Ｐに対し、乗車前行動情報、乗車時行動情報及び乗車中行動情報の合計数Ｑを相殺して、十分に焦り度が低下傾向になったと判定した場合に、焦り状態を解除する。例えば、Ｑ−Ｐ＝０になった場合である。
【００５９】
また、焦り状態を段階的に解除してもよい。焦り状態では安全面から見た３つの車両制御を説明したが、安全面I、安全面II、安全面IIIの順序で焦り度に対する制御としては介入度が大きくなる。そこで、ドライバ状態推定手段５０ａは、焦り解除行動情報を検出するたびに、介入度が小さくなるように車両制御することが好適となる。例えば、安全面IIIの車両制御を行っている状態で焦り解除行動情報を検出したら安全面IIIの車両制御を停止し、ついで焦り解除行動情報を検出したら安全面IIの車両制御を停止し、ついで焦り解除行動情報を検出したら安全面Iの車両制御を停止する。このように解除することで、焦り度が高いほどゆっくりと焦り状態を解除することができ、安全を確保しやすくなる。
【００６０】
〔ドライバ状態推定装置５の作動の流れ〕
図１０は、ドライバ状態推定装置５の作動の手順を示すフローチャート図である。図１０のフローチャート図は、例えば、スマートキーによるアンロックをトリガにスタートする。
【００６１】
ドアがアンロックされると運転者が車両３に接近したことになるので、ドライバ状態推定手段５０ａは乗車時行動情報を取得する（Ｓ１０）。  
そして、イグニションがオンになると車両３は情報センタ２経由で送信される乗車前行動情報を受信する（Ｓ２０）。なお、イグニションオンでなくても乗車前行動情報を受信可能であれば、運転者が車両３に到達する前に受信してもよい。
【００６２】
ついで、ドライバ状態推定手段５０ａは、乗車前行動情報及び乗車時行動情報の数に応じて運転者が焦り状態か否かを判定する（Ｓ３０）。焦り状態か否かは、乗車前行動情報の数と乗車時行動情報の数を掛け合わせた値が所定値以上か否か、いずれかが所定値以上が否か等に基づき判定する。
【００６３】
焦り状態でない場合（Ｓ３０のＮｏ）、ドライバ状態推定手段５０ａは何もせずそのまま処理が終了する。焦り状態の場合（Ｓ３０のＹｅｓ）、ドライバ状態推定手段５０ａは安全面I〜III及び環境面に配慮した車両制御を実行する（Ｓ４０）。
【００６４】
そして、車両３が走行している間、ドライバ状態推定手段５０ａは、焦り解除行動情報が検出されるか否かを判定する（Ｓ５０）。例えば、ドライバ状態推定手段５０ａは、焦り解除情報が所定数以上検出されたことをもって焦り解除行動情報が検出されたと判定する。
【００６５】
焦り解除行動情報が検出された場合（Ｓ５０のＹｅｓ）、ドライバ状態推定手段５０ａは焦り状態を解除して、安全面及び環境面に配慮した車両制御を終了する。
【００６６】
図１１は、ドライバ状態推定装置５の作動の手順を示すフローチャート図である。図１１のフローチャート図は、さらに乗車中行動情報を検出して安全面及び環境面に配慮した車両制御を行うものである。なお、図１０と同一ステップには同じ符号を付した。
【００６７】
ドアがアンロックされると運転者が車両３に接近したことになるので、ドライバ状態推定手段５０ａは乗車時行動情報を取得する（Ｓ１０）。  
そして、イグニションがオンになると車両３は情報センタ２経由で送信される乗車前行動情報を受信する（Ｓ２０）。なお、イグニションオンでなくても乗車前行動情報を受信可能であれば、運転者が車両３に到達する前に受信してもよい。
【００６８】
ついで、ドライバ状態推定手段５０ａは、乗車前行動情報及び乗車時行動情報の数に応じて運転者が焦り状態か否かを判定する（Ｓ３０）。焦り状態か否かは、乗車前行動情報の数と乗車時行動情報の数を掛け合わせた値が所定値以上か否か、いずれかが所定値以上が否か等に基づき判定する。
【００６９】
焦り状態でない場合（Ｓ３０のＮｏ）、ドライバ状態推定手段５０ａは乗車時には何もしないが、走行中に乗車中行動情報を検出するか否かを判定する（Ｓ６０）。そして、例えば乗車中行動情報が所定値以上になった場合、乗車中行動情報を検出したと判定しステップＳ３０以降の処理に進む。
【００７０】
焦り状態の場合（Ｓ３０のＹｅｓ）、ドライバ状態推定手段５０ａは安全面I〜III及び環境面に配慮した車両制御を実行する（Ｓ４０）。
【００７１】
そして、車両３が走行している間、ドライバ状態推定手段５０ａは、焦り解除行動情報が検出されるか否かを判定する（Ｓ５０）。例えば、ドライバ状態推定手段５０ａは、焦り解除情報が所定数以上検出されたことをもって焦り解除行動情報が検出されたと判定する。
【００７２】
焦り解除行動情報が検出された場合（Ｓ５０のＹｅｓ）、ドライバ状態推定手段５０ａは焦り状態を解除して、安全面及び環境面に配慮した車両制御を終了する。
【００７３】
本実施例によれば、自宅１や乗車時における運転者の焦りを検出して、運転開始前から安全面・環境面に配慮した車両制御が可能なので、運転者が焦っていることを早期に検出し、焦っている場合でも安全を確保し環境に配慮した走行が可能となる。
【実施例２】
【００７４】
実施例１では、自宅１、乗車時及び乗車中の行動から運転者が焦っていると推定される行動を検出したが、行動からの検出では検出の確度が低い場合がある。そこで、より直接的に運転者に焦りをもたらす要因を検出する。例えば、急な家族の不幸、妻の出産、家族の事故現場へ駆けつける場合等、誰にも生じ得てかつ生じた場合にはかなりの確度で運転者に焦りを生じさせる状況がある。したがって、このような状況を検出することで、運転者の行動からだけでなく個別かつ具体的に焦りを検出することができ、焦り検出の精度を向上することができる。運転者に焦りを生じさせる個別の状況は、例えばスケジュール、電子メール、会話内容、電話の通話内容等から検出される。
【００７５】
〔乗車前〕
図１２は、本実施例におけるドライバ情報収集装置６の構成図を示す。なお、図１２において図３と同一構成部分には同一の符号を付しその説明は省略する。図１２では、ＬＡＮなどのネットワークを介して、情報収集装置６０にパーソナルコンピュータ（以下、ＰＣ）１２が接続されている。
【００７６】
ＰＣ１２はＣＰＵ、ＲＯＭ、ＲＡＭ及びＨＤＤ等を有するコンピュータで、ＨＤＤに記憶されたプログラムを実行することで、スケジュールソフト及びメールソフトを実現する。運転者は、このスケジュールソフトとメールソフトを使用してスケジュールを管理したり、知人と電子メールを送受信する。また、ＰＣ１２のＨＤＤに記憶されたプログラムを実行することで、スケジュールや送受信した電子メールから運転者の個別焦り情報を抽出する個別情報抽出手段１２ａが実現される。個別情報抽出手段１２ａは常駐型のプログラムで、スケジュールソフトとメールソフトが起動している間バックグラウンドで起動している。個別情報抽出手段１２ａには、抽出する個別焦り情報として予めキーワード（例えば、死んだ、駆けつける、すぐ行く、生まれる、泣き声、葬儀、通夜、葬式、亡くなった、部長、役員、重要、プレゼン等、その他、運転者が登録可能）が登録されており、キーワードに合致する運転者の個別焦り情報を抽出して、情報収集装置６０に送信する。
【００７７】
図１３（ａ）はスケジュールソフトが表示したスケジュールの一例を、図１３（ｂ）はメールソフトが受信した電子メールの一例をそれぞれ示す。スケジュールソフトには、「１０：００  こわもて部長と商談」、「１７：００  プレゼン発表（△△ホール）」と表示されている。また、メールソフトには「○△さんが亡くなりました。通夜は○□時です。」と表示されている。個別情報抽出手段１２ａは、スケジュールからキーワードに合致する「部長」「プレゼン」「亡くなりました」「通夜」を抽出し、抽出した言葉そのもの又は抽出したキーワードの数を個別焦り情報として情報収集装置６０に送信する。
【００７８】
スケジュールソフト及びメールソフトは携帯端末１３によっても実現可能である。携帯端末１３は、携帯電話、ＰＤＡ（Ｐｅｒｓｏｎａｌ  Ｄａｔａ  Ａｓｓｉｔａｎｔ）、携帯ゲーム機等、電子メールを無線で送受信する送受信装置を有した、ＣＰＵ、ＲＯＭ、ＲＡＭ及びフラッシュメモリ等を有するコンピュータである。携帯端末１３は、ＰＣ１２と同様に個別情報抽出手段１２ａを備え、スケジュールや電子メールから抽出した個別焦り情報を例えば電子メール等で情報収集装置６０に送信する。なお、後述するように、携帯端末１３を車両３に持ち込むことで、車両３がスケジュールや電子メールから抽出した個別焦り情報を抽出可能となる。また、携帯端末１３とＰＣ１２はスケジュールや電子メールを同期させることができるため、同期した際に携帯端末１３からＰＣ１２が個別焦り情報を抽出してもよい。
【００７９】
また、情報収集装置６０は、集音装置６４が備える音声認識機能により、自宅１における運転者と家族との会話からキーワードを抽出し、高い確度で焦りをもたらす状況を抽出する。
【００８０】
ドライバ情報収集手段６０ａは個別焦り情報が検出される毎又は定期的に個別焦り情報を情報センタ２を介して車両３に送信する。
【００８１】
〔乗車時／乗車中〕
上述のように、車両３は携帯通信装置４５を有する。例えば、携帯通信装置４５と運転者の携帯端末１３が通信している場合、携帯端末１３に送信された電子メールからドライバ状態推定手段５０ａがキーワードを抽出して個別焦り情報を検出することができる。また、ハンズフリーフォンで通話する場合、通話の内容はいったんナビゲーションシステムなどの車両３に取り込まれるので、音声認識により通話の内容からキーワードを抽出することができる。また、車両３は車載装置を制御するための音声認識装置を備えるので、会話の内容からキーワードを抽出することができる。ドライバ状態推定手段５０ａは、このように、乗車時又は乗車中に検出されたキーワードを個別焦り情報として記憶しておく。
【００８２】
また、乗車中は電子メールやスケジュールのような情報からだけでなく、突発的な状況が焦りをもたらすことがある。例えば、車両３が動物や他車両と接触した場合は、かなりの確度で運転者が焦ると考えられ、また、パトカーや救急車が接近してきた場合、その方向や所定操作（道を空ける）などを要求されることから運転者が焦る可能性が高い。そこで、ドライバ状態推定装置５は例えばエアバッグ展開用の荷重センサや衝撃音により動物や他車両との接触を検知し、また、パトカーなどを警報音により検知しこれらを個別焦り情報として記憶する。
【００８３】
〔焦り状態の判定〕
車両３のドライバ状態推定手段５０ａは自宅１から個別焦り情報を受信し、また、車両３に乗車中に個別焦り情報を取得する。個別焦り情報は、かなりの確度で焦りを生じさせるものであるため、乗車前行動情報、乗車時行動情報及び乗車中行動情報よりも焦り状態と判定しやすくすることが好適となる。
【００８４】
図１４は、焦り判定の概略を示す図である。ドライバ状態推定手段５０ａは、個別焦り情報が複数以上検出されているか否かを判定し（Ｓ１００）、複数以上であれば（Ｓ１００のＹｅｓ）焦り状態であると判定する（Ｓ４００）。
【００８５】
複数以上でない場合（Ｓ１００のＮｏ）、個別焦り情報、乗車前行動情報、乗車時行動情報及び乗車中行動情報のうち２つ以上が所定値Ｌ以上か否かを判定し（Ｓ２００）、所定値Ｌ以上であればドライバ状態推定手段５０ａは焦り状態であると判定する（Ｓ４００）。
【００８６】
所定値Ｌ以上でない場合（Ｓ２００のＮｏ）、個別焦り情報、乗車前行動情報、乗車時行動情報及び乗車中行動情報のうちいずれかが所定値Ｍ（＞Ｌ）以上か否かを判定し（３００）、所定値Ｍ以上の場合、ドライバ状態推定手段５０ａは焦り状態と判定する（Ｓ４００）。なお、実施例１と同様に、年齢、性別や環境等に応じて重み付けをしてもよい。
【００８７】
〔ドライバ状態推定装置５の作動の流れ〕
焦り状態と判定された場合、制御値変更定手段５０ｂは各ＥＣＵに制御値を変更するよう要求し実施例１と同様の車両特性にて車両３を設定し、また、同様の解除判定を行って車両特性を元に戻す。
【００８８】
図１５は、ドライバ状態推定装置５の作動の手順を示すフローチャート図である。図１５のフローチャート図は、個別焦り情報、乗車前行動情報、乗車時行動情報及び乗車中行動情報に基づき安全面及び環境面に配慮した車両制御を行うものである。
【００８９】
ドアがアンロックされると運転者が車両３に接近したことになるので、ドライバ状態推定手段５０ａは乗車時行動情報を取得する（Ｓ１０１）。  
そして、イグニションがオンになると車両３は情報センタ２経由で送信される個別焦り情報及び乗車前行動情報を受信する（Ｓ１０２）。なお、イグニションオンでなくても受信可能であれば、運転者が車両３に到達する前に受信してもよい。
【００９０】
ついで、ドライバ状態推定手段５０ａは、個別焦り情報、乗車前行動情報及び乗車時行動情報の数に応じて運転者が焦り状態か否かを判定する（Ｓ１０３）。焦り状態か否かは、個別焦り情報の数が複数以上か、個別焦り情報、乗車前行動情報及び乗車時行動情報のいずれか２つ以上が所定値Ｌ以上か、又は、個別焦り情報、乗車前行動情報及び乗車時行動情報のうちいずれかが所定値Ｍ以上か否かに基づき判定する。
【００９１】
なお、本実施例では、スケジュールを利用しているので、その内容だけでなく待ち合わせ時間を抽出して、例えば、ＶＩＣＳ等から得られる予定到達時刻が待ち合わせ時間を超過するような場合、焦り状態と判定してもよい。
【００９２】
焦り状態でない場合（Ｓ１０３のＮｏ）、ドライバ状態推定手段５０ａは乗車時には何もしないが、乗車中に個別焦り情報又は乗車中行動情報を検出するか否かを判定する（Ｓ１０７）。検出しない場合（Ｓ１０７のＮｏ）、ドライバ状態推定手段５０ａは通常の車両特性のまま走行を開始する。
【００９３】
検出した場合（Ｓ１０７のＹｅｓ）、ステップＳ１０３に戻り、再度、焦り状態か否かを判定する。
【００９４】
焦り状態の場合（Ｓ１０３のＹｅｓ）、ドライバ状態推定手段５０ａは安全I〜III及び環境面に配慮した車両制御を実行する（Ｓ１０４）。
【００９５】
そして、車両３が走行している間、ドライバ状態推定手段５０ａは、焦り解除行動情報が検出されるか否かを判定する（Ｓ１０５）。例えば、ドライバ状態推定手段５０ａは、焦り解除情報が所定数以上検出されたことをもって焦り解除行動情報が検出されたと判定する。
【００９６】
焦り解除行動情報が検出された場合（Ｓ１０５のＹｅｓ）、ドライバ状態推定手段５０ａは焦り状態を解除して、安全面及び環境面に配慮した車両制御を終了する。
【００９７】
本実施例によれば、実施例１の効果に加え、焦りが生じる確度の高い個別の状況を検出して焦り状態を検出できるため、より安全を確保し環境に配慮した走行が可能となる。
【実施例３】
【００９８】
実施例１では自宅１の運転者の行動から焦り状態を判定したが、実施例１と同様の構成により運転者の睡眠状態に関する情報を抽出することができる。そこで、本実施例では、焦りの検出と同様の構成により自宅１の運転者の睡眠状態に関する情報を検出して、睡眠状態（体調）を判定し運転者が眠くなる可能性有り（以下、単に眠気有りという）と判定された場合には、車両特性を眠気を考慮した状態に設定することで眠気が運転に与える影響を低減する。眠気だけを検出してもよいし、焦りをもたらす行動を同時に検出してもよいが、本実施例では焦りを持たす行動を同時に検出する。なお、ドライバ情報収集装置６の構成図は図３と、ドライバ状態推定装置５の構成図は図６と、眠気有りと判定された場合に車両制御する車両３のシステム構成図は図９と、それぞれ同様であるので説明は省略する。
【００９９】
〔睡眠不足をもたらす状況及びその検出〕
自宅１の情報収集装置６０は家電モニタ装置６３や集音装置６４を用いて、運転者の睡眠状態に影響する眠気要因情報を収集する。家電モニタ装置６３は、蛍光灯の作動時間を検出するので、情報収集装置６０は消灯時刻から翌日の点灯時刻までの時間を基づき睡眠時間を推定することができる。また、蛍光灯が消灯されていてもテレビが点灯されていた場合にはテレビのオフ時刻から翌日の何らかの家電装置のオン時刻までを睡眠時刻とするなど適切な方法で睡眠時間を推定してもよい。
【０１００】
また、寝室にマイクを備えている場合、集音装置６４は、運転者の寝息やいびきの音を集音するので、いびきの周期や音量に基づき眠りの質を判定する。また、赤ん坊がいる家庭では深夜の泣き声から夜泣き回数や頻度、音量を判定し、外部の騒音を検出するマイクから、暴走族の騒音の音量やその回数を判定する。
【０１０１】
情報収集装置６０は、睡眠時間、いびき、赤ん坊の夜泣き及び騒音等に関する眠気要因情報をメモリ６０２にそれぞれ記憶する。図１６はメモリ６０２に記憶される眠気要因情報の一例を示す。ドライバ情報収集手段６０ａは、例えば毎朝、前の晩の運転者の睡眠状態を判定するための眠気要因情報をメモリ６０２に記憶しておく。図１６では睡眠時間として「７時間」、集音情報として「いびきレベル３」「周囲騒音レベル２」（数値が大きいほど音が大きい）が記憶されている。
【０１０２】
ドライバ情報収集手段６０ａは、運転者が外出する際に眠気要因情報を情報センタ２を介し車両３に送信するので、情報センタ２又は車両３は運転者の眠気有りか否かを判定する。なお、ドライバ情報収集手段６０ａが眠気要因情報に基づき眠気有りか否か判定してもよい。
【０１０３】
〔眠気の判定〕
眠気の判定は、例えば、睡眠時間が所定時間以下か否か、いびきレベルが所定以上か否か、周囲騒音レベルが所定以上か否か、等の条件を複数満たす場合に眠気有りと判定する。また、睡眠時間が極端に短い場合はそれだけで眠気有りと判定したり、また、眠気に与える眠気要因情報の影響からそれぞれを重み付けして所定の閾値を超えたら眠気有りと判定する。また、眠気を数段階に分けて眠気度を判定してもよい。
【０１０４】
なお、乗車中は顔カメラ５４により運転者の顔を撮影し、開眼／閉眼を検出しているので、ドライバ状態推定手段５０ａは、閉眼時間が所定以上継続するような場合眠気有りと判定する。また、体温や血圧、発汗などを検出するセンサを例えばステアリングホイール設け、これらから眠気を判定してもよい。
【０１０５】
〔眠気有りと判定された場合の車両特性〕
眠気有りと判定された場合に設定される車両制御について説明する。眠気有りと判定された場合は、眠くならないように注意喚起したり、眠くなった場合にレーンを外れたり先行車両に衝突するおそれがあるため、これらを防止する車両制御を行うことが好ましい。
【０１０６】
図９のシステム構成図に示したように、ドライバ状態推定手段５０ａが眠気有りと判定した場合、制御変更手段５０ｂはＣＡＮ等の車内ＬＡＮを介してメータＥＣＵ５０１等に制御値を変更するよう要求する。
【０１０７】
・運転者への注意喚起・警告
制御値の変更要求があった場合、メータＥＣＵ５０１は警告音の周波数や音色を変化させ運転者を覚醒するように誘導する。周波数の場合、通常よりも増大（例えば０．７ｋＨｚ→１．４ｋＨｚ）することで注意喚起性が向上する（例えば、ピッ、ピッ、ピッ→ピピピ）。また、警告音の音量を増大する。また、ナビ画面や液晶表示部へ表示する文字を大きくしたり、コンビネーションランプの警告ランプの輝度を上げることで注意喚起性を向上する。
【０１０８】
・自律系による車両制御値変更
制御値の変更要求があった場合、ＬＫＡ装置５０４は警報音を吹聴する閾値を低下させる。また、ＰＣＳ装置は通常よりも短いＴＴＣにより警告音を吹鳴する。また、ＡＣＣ装置５０５は、３段階のうち最も長い車間距離かそれよりもさらに長い車間距離に設定する。なお、このような制御を運転者が煩わしいと感じるおそれがあるため、通知後に制御を実行してもよい。また、運転者がＬＫＡ装置５０４やＡＣＣ装置５０５、ＰＣＳ装置５０７を使用していない場合、運転者に通知した後にこれらをオンにして制御を実行する。
【０１０９】
また、エアコン温度を低めに制御したり酸素濃度を上げて覚醒を促したりしてもよい。また、眠気有りを運転開始前に検出できるので、制御変更手段５０ｂが運転開始前にシートを倒したりステアリング位置を最高高さ又は最低高さに移動させ、運転者にシートやステアリングの位置調整をさせることで覚醒を促してもよい。
【０１１０】
なお、ドライバ状態推定手段５０ａが、焦り状態と判定している場合は、実施例１及び２と同様に、各ＥＣＵは安全面I〜III及び環境面に配慮した車両特性により車両を制御する。眠気有りの場合と焦り状態の場合で重複する車両制御は、いずれかの車両制御を行う。
【０１１１】
〔眠気有りの判定の解除判定〕
運転者の眠気が解消されたら車両制御を解除する。ドライバ状態推定手段５０ａは、乗車時及び乗車中の運転者の行動を検出して、正常（眠気なし）と推定される行動を検出して焦り状態を解除する。
【０１１２】
眠気がない運転者は、ステアリング操作も速く、適切な車間距離を保ち、信号機に対する応答も素早く、走行レーンに対する蛇行もしないものである。したがって、ドライバ状態推定手段５０ａは、走行中の運転者の操作を検出し、眠気が解消したと推定される行動を検出する。すなわち、ドライバ状態推定手段５０ａは、操舵角センサによる操舵速度、ミリ波レーダ４７による先行車両との距離、信号機の状態とブレーキペダル操作のタイミング、目標走行線に対する自車両の乖離度等を検出し、これを眠気解除行動情報として記憶する。
【０１１３】
また、乗車時及び乗車中は、顔カメラ５４により運転者の顔を撮影し、開眼／閉眼を検出しているので、開眼時間が所定以上継続するような場合は、所定時間毎に眠気が解消される傾向にあるとして眠気解除行動情報として記憶する。なお、「所定時間毎に」としたのは、眠気有りの判定を徐々に解除することを可能にするためである。
【０１１４】
ドライバ状態推定手段５０ａは、例えば、眠気解除行動情報が所定数以上検出されたら、眠気有りの判定を解除する。また、眠気解除行動情報が検出されるたびに、介入度が小さくなるように、自律系の車両制御から運転者への注意喚起までの車両制御を徐々に低減するように解除してもよい。
【０１１５】
〔ドライバ状態推定装置５の作動の流れ〕
図１７は、ドライバ状態推定装置５の作動の手順を示すフローチャート図である。図１７のフローチャート図は、例えば、イグニッションオンによりスタートする。
【０１１６】
イグニションがオンになると車両３は情報センタ２経由で送信される眠気要因情報を受信する（Ｓ２０１）。なお、イグニションオンでなくても眠気要因情報を受信可能であれば、運転者が車両３に到達する前に受信してもよい。
【０１１７】
ついで、ドライバ状態推定手段５０ａは、眠気要因情報の数に応じて運転者が眠気有りか否かを判定する（Ｓ２０２）。
【０１１８】
眠気有りでない場合（Ｓ２０２のＮｏ）、ドライバ状態推定手段５０ａは何もせずそのまま処理が終了する。眠気有りと判定された場合（Ｓ２０２のＹｅｓ）、制御変更手段５０ｂは運転者に注意喚起及び警告し、眠気があっても安全に走行が可能なように車両制御値を変更する（Ｓ２０３）。
【０１１９】
そして、車両３が走行している間、ドライバ状態推定手段５０ａは、眠気解除行動情報が検出されるか否かを判定する（Ｓ２０４）。例えば、ドライバ状態推定手段５０ａは、眠気解除情報が所定数以上検出されたことをもって判定する。
【０１２０】
眠気解除行動情報が検出された場合（Ｓ２０４のＹｅｓ）、制御変更手段５０ｂは眠気有りの判定を解除して、眠気を考慮した車両制御を終了する。
【０１２１】
本実施例によれば、自宅１における運転者の行動から眠気を推定して、運転開始前から眠気を考慮した車両制御が可能なので、運転者の眠気を早期に検出し、安全な走行が可能となる。
【０１２２】
以上のように、本実施形態によれば、運転開始前から運転者の状態を推定することができるため運転開始時には適切な運転支援を行うことができ、運転者の精神的な状態が運転に影響することを低減できる。
【図面の簡単な説明】
【０１２３】
【図１】運転者の状態の推定の概略を説明するための図である。
【図２】運転者の状態を推定するための運転者状態推定システムの構成図の一例である。
【図３】ドライバ情報収集装置の構成図である。
【図４】メモリに記憶される乗車前行動情報の一例である。
【図５】サーバのハードウェア構成図である。
【図６】ドライバ状態推定装置の構成図の一例である。
【図７】乗車時行動情報及び乗車中行動情報の一例を示す図である。
【図８】焦り判定の概略を示す図である。
【図９】焦り状態と判定された場合に車両制御する車両のシステム構成図の一例である。
【図１０】ドライバ状態推定装置の作動の手順を示すフローチャート図である。
【図１１】ドライバ状態推定装置の作動の手順を示すフローチャート図である。
【図１２】実施例２におけるドライバ情報収集装置の構成図の一例である。
【図１３】スケジュールソフトが表示したスケジュール、メールソフトが受信した電子メールの一例を示す図である。
【図１４】実施例２において焦り判定の概略を示す図である。
【図１５】実施例２においてドライバ状態推定装置の作動の手順を示すフローチャート図である。
【図１６】メモリに記憶される眠気要因情報の一例である。
【図１７】実施例３においてドライバ状態推定装置の作動の手順を示すフローチャート図である。
【符号の説明】
【０１２４】
１      自宅
２      情報センタ
３      車両
４      目的地
５      ドライバ状態推定装置
６      ドライバ情報収集装置
７      サーバ
８      基地局
１１    センサ
５０    ドライバ状態推定部
５０ａ  ドライバ状態推定手段
５０ｂ  制御変更手段
６０    情報収集装置
６０ａ  ドライバ情報収集手段
【図１】
2008123448.tif 000003
【図２】
2008123448.tif 000004
【図３】
2008123448.tif 000005
【図４】
2008123448.tif 000006
【図５】
2008123448.tif 000007
【図６】
2008123448.tif 000008
【図７】
2008123448.tif 000009
【図８】
2008123448.tif 000010
【図９】
2008123448.tif 000011
【図１０】
2008123448.tif 000012
【図１１】
2008123448.tif 000013
【図１２】
2008123448.tif 000014
【図１３】
2008123448.tif 000015
【図１４】
2008123448.tif 000016
【図１５】
2008123448.tif 000017
【図１６】
2008123448.tif 000018
【図１７】
2008123448.tif 000019